(57)【要約】【課題】  異なる目盛間隔が混在した同一の指標部を指針で回動指示するにあたって、商品性を損なうことなく滑らかに回動指示させる車両用表示装置を提供する。【解決手段】  本発明に係る車両用表示装置１は、車両情報を入力する入力手段５と、少なくとも２つの異なる分解能の目盛間隔の指標３ａ，３ｂで構成した指標３と、指標３を指示する指針２と、入力手段５から入力された車両情報に遅延を持たせて指示値Ｘtを決定し、指示値Ｘtに対応する指標３の位置を指針２で指示させる指針駆動手段４と、を備え、指針駆動手段４は、指示値Ｘtに対応する指標の目盛間隔の指標３ａ，３ｂに応じて遅延の度合Ｎを変更する。【選択図】  図１
2015215283.tif 000002
【特許請求の範囲】
【請求項１】
車両情報を入力する入力手段と、
少なくとも２つの異なる分解能の目盛間隔で構成した指標と、
前記指標を指示する指針と、
前記入力手段から入力した車両情報に遅延を持たせて指示値を決定し、前記指示値に対応する前記指標の位置を前記指針で指示させる指針駆動手段と、
を備えた車両用表示装置であって、
前記指針駆動手段は、前記指示値に対応する前記指標の目盛間隔に応じて前記遅延の度合を変更する
ことを特徴とする車両用表示装置。
【請求項２】
前記指針駆動手段は、前記遅延の度合を、前記指標の前記目盛間隔が大きいほど小さくする
ことを特徴とする請求項１に記載の車両用表示装置。
【発明の詳細な説明】
【技術分野】
【０００１】
本発明は、異なる目盛間隔が混在した同一の指標部を指針で回動指示する車両用表示装置に関する。
【背景技術】
【０００２】
従来、車両の走行速度（車速）を指示する指針式計器において、車速センサから定期的にサンプリングした値に平均処理や遅延処理を施して、指針の指示回動を滑らかにして視認性を向上させる車両用表示装置が特許文献１に開示されている。
【０００３】
また、例えば車速が１０ｋｍ／ｈ以下の極低速域における指針の不安定な挙動を防止するために、車速が０から所定値未満の場合は、検出された車速よりも指示が小さい第１線形駆動とし、車速が所定値以上の場合は、検出された車速と略一致するような第２線形駆動に切り替える車両用表示装置が特許文献２に開示されている。
【０００４】
また、車両用表示装置の視認性の向上を目的として、指針の指示値の下限値から上限値における指標部の目盛間隔のうち、読み取り精度を高く設定したい帯域の目盛間隔を、その他の帯域に比べて広くとって読み取り精度を向上させるものが特許文献２に開示されている。
【先行技術文献】
【特許文献】
【０００５】
【特許文献１】特開平８−３２７６６４号公報
【特許文献２】特開２００３−１３９５７８号公報
【特許文献３】特開平１−０９６５５９号公報
【発明の概要】
【発明が解決しようとする課題】
【０００６】
しかしながら、異なる目盛間隔が混在した同一の指標部を指針で回動指示する場合においては、指示値の変化量に対応する回動すべき角度（分解能）の違いから、すべての指示領域で同一の遅延処理を施すと、異なる目盛間隔の指標部の境界部分で指針の回動が微細に揺れて商品性を損なうという課題があり、前述した特許文献１乃至３の何れに開示される技術を用いても解消されない。
【０００７】
本発明は、上述した課題を鑑みてなされたものであり、異なる目盛間隔が混在した同一の指標部を指針で回動指示するにあたって、商品性を損なうことなく滑らかに回動指示させる車両用表示装置を提供することを目的とする。
【課題を解決するための手段】
【０００８】
本発明に係る車両用表示装置は、
車両情報を入力する入力手段と、
少なくとも２つの異なる分解能の目盛間隔で構成した指標と、
前記指標を指示する指針と、
前記入力手段から入力した車両情報に遅延を持たせて指示値を決定し、前記指示値に対応する前記指標の位置を前記指針で指示させる指針駆動手段と、
を備えた車両用表示装置であって、
前記指針駆動手段は、前記指示値に対応する前記指標の目盛間隔に応じて前記遅延の度合を変更する。
【０００９】
また、好ましくは、本発明に係る車両用表示装置の前記指針駆動手段は、前記遅延の度合を、前記指標の前記目盛間隔が大きいほど小さくする。
【発明の効果】
【００１０】
本発明によれば、異なる目盛間隔が混在した同一の指標部を指針で回動指示するにあたって、商品性を損なうことなく滑らかに回動指示させる車両用表示装置を提供することができる。
【図面の簡単な説明】
【００１１】
【図１】本発明の実施形態である車両用表示装置の正面図。
【図２】同実施形態である車両用表示装置の電気的構成図。
【図３】同実施形態である車両用表示装置の制御フローチャート図。
【図４】同実施形態である車両用表示装置における入力車速と指針の指示角度との関係を示す図。
【発明を実施するための形態】
【００１２】
以下、添付図面に基づいて、本発明の実施形態を説明する。
【００１３】
本発明に係る車両用表示装置１は、指針２と、指標３と、指針駆動手段４と、入力手段５と、を備えた指針式計器である。車両用表示装置１は、例えばＣＡＮ（Controller Area Network）からなる入力手段５から車速、エンジン回転数、残燃料量などの各種車両情報を入力し、指針駆動手段４が入力した車速に応じた指標３の位置を指針２で指示することで、車両用表示装置１が搭載された車両の運転者に車速を提示する。
【００１４】
指標３は、例えば、文字板上に印字された目盛と指標数字であり、０ｋｍ／ｈに対応する目盛を始端として、０〜１００ｋｍ／ｈの目盛を１ｋｍ／ｈ当たり１．１３５°の分解能で構成した第１指標３ａと、第１指標３ａの終端（１００ｋｍ／ｈ）を始端として１００〜２２０ｋｍ／ｈの目盛を１ｋｍ／ｈ当たり０．７５°の分解能で構成した第２指標３ｂとで構成する。
【００１５】
指針駆動手段４は、例えば、所定プログラムや各種データの格納、演算時の記憶領域などに用いる記憶装置と、前記所定プログラムに従って演算処理するためのＣＰＵなどで構成したマイクロコンピュータと、前記マイクロコンピュータに制御されて指針を所定角度に回動させるステッピングモータと、が実装された回路基板であり、入力手段５から入力される車両情報に応じて、前記マイクロコンピュータが前記ステッピングモータを制御することで指針を所定角度に回動させる。
【００１６】
以下に、指針駆動手段４が入力手段５から入力される車速を指針２で指示する制御手順について説明する。
【００１７】
まず、指針駆動手段４は、入力手段５から入力される車速を、数十ミリ秒の周期でサンプリングし、サンプリングした車速に基づいて、時刻ｔにおける目標車速Ｄtを決定する（図３のＳ１）。
【００１８】
次に指針駆動手段４は、目標車速Ｄtが第１指標３ａと第２指標３ｂのどちらの範囲に属するかを判定し、目標車速Ｄtが第１指標３ａに属する場合は、後述する遅延補正値Ｎを１０に設定し、目標車速Ｄtが第２指標３ｂに属する場合は、後述する遅延補正値Ｎを１５に設定する（図３のＳ２）。
【００１９】
次に指針駆動手段４は、現在の指示値Ｘt-1と目標車速Ｄtとの差分を遅延補正値Ｎで除算したものを、現在の指示値Ｘt-1に加えて時刻ｔにおける遅延処理後車速Ｄ’tを求める（図３のＳ３）。
ここで、遅延補正値Ｎが小さいほど、目標車速Ｄtへ到達する時間が短くなり応答性が良くなる一方で、サンプリングした車速に過敏に応答するあまり指針の跳ね上がりが発生する虞がある。
【００２０】
【数１】
2015215283.tif 000003
【００２１】
次に指針駆動手段４は、図３のＳ４で求められた遅延処理後車速Ｄ’tと、同様に求められた過去Ｍ−１回分の遅延処理後車速Ｄ’の平均値Ｄ’avgを次式（数２）で求め、これを時刻ｔにおける指針の指示値Ｘtとする（図３のＳ４）。Ｍはサンプリング周期に応じて適切に設定し、例えば、サンプリング周期が数十ミリ秒の場合は、５回程度が好ましい。
【００２２】
【数２】
2015215283.tif 000004
【００２３】
次に指針駆動手段４は、図４に示す指示車速Ｘtに対応する車速に応じた０ｋｍ／ｈに対応する目盛からの相対角度θを指針が指示するように、指針を回動制御する（図３のＳ５）。
【００２４】
上述した図３のＳ１〜Ｓ５の制御手順を繰り返すことで、異なる目盛間隔の指標部の境界部分（第１指標３ａと第２指標３ｂの境界部分）で指針の回動が微細に揺れることなく、指針駆動手段４が入力手段５から入力される車速に追従して滑らかに指針を回動指示させることができる。
【００２５】
以上、本発明の実施形態について説明したが、これらに限らず、第１指標３ａと第２指標３ｂでそれぞれ目標車速Ｄtに対する応答性を変更するものであれば良い。例えば、図３のＳ４の平均処理における定数Ｍを変更することであっても良い。
【００２６】
また、図３のＳ２おける遅延補正値Ｎの設定は、第１指標３ａと第２指標３ｂの境界部分にヒステリシスを持たせても良い。
【００２７】
また、指標３は、文字板上に印字されたものに限らず、例えば液晶表示器に表示された画像で構成しても良い。
【産業上の利用可能性】
【００２８】
本発明は、例えば、自動車やオートバイ、あるいは農業機械や建築機械を備えた移動体に搭載される車両情報の表示装置として好適である。
【符号の説明】
【００２９】
１    …車両用表示装置
２    …指針
３    …指標
３ａ  …第１指標
３ｂ  …第２指標
４    …指針駆動手段
５    …入力手段
【図１】
2015215283.tif 000005
【図２】
2015215283.tif 000006
【図３】
2015215283.tif 000007
【図４】
2015215283.tif 000008